(57)【特許請求の範囲】
【請求項１】
制限地域または非制限地域の識別を含む報知信号を送信する基地局と、移動機と、該移動機を制御する制御局を含む移動通信網システムにおいて、
前記移動機は、前記報知信号を監視し、非制限地域から制限地域へ変化したことを検知すると、自身を受信専用モードに設定し、受信専用モード設定要求を前記基地局に対して送信し、
前記基地局は、前記移動機から前記受信専用モード設定要求を受信すると、前記制御局に対して、前記移動機からの前記受信専用モード設定要求を送信し、
前記受信専用モード設定要求を受信した前記制御局は、移動機の状態を記憶しておくデータベースに、受信専用モード設定要求を送信した前記移動機が受信専用モードであることを記憶し、
受信専用モードに設定した移動機への送信に対しては、一斉呼出チャネルを使用して、応答を要しない送信を行う
ことを特徴とする移動通信網システム。
【請求項２】
請求項１に記載の移動通信網システムにおいて、前記受信専用モード中の移動機への送信は、文字情報であること特徴とする移動通信網システム。
【請求項３】
請求項２に記載の移動通信網システムにおいて、前記移動機への送信は、音声メッセージを蓄積したことを通知する情報であることを特徴とする移動通信網システム。
【請求項４】
請求項２または３に記載の移動通信網システムにおいて、前記移動機への送信は、複数回行われることを特徴とする移動通信網システム。
【請求項５】
請求項１〜４のいずれかに記載の移動通信網システムにおいて、前記移動機は制限地域から非制限地域へ変化したことを検知すると、自身を受信専用モードから解除し、受信専用モード解除要求を前記基地局に対して送信することを特徴とする移動通信網システム。
【請求項６】
請求項１〜５のいずれかに記載の移動通信網システムにおいて、移動機は、受信専用モード中に受信したメッセージの履歴を記憶し、受信専用モードが解除されたとき、前記受信メッセージ履歴を送信し、送られた受信メッセージ履歴により送達確認を行うことを特徴とする移動通信網システム。
【請求項７】
移動通信網システムにおける移動機において、
移動機は、基地局からの報知信号を監視し、非制限地域から制限地域へ変化したことを検知すると、自身を受信専用モードに設定し、受信専用モード設定要求を前記基地局に対して送信し、
受信専用モードにおいては、一斉呼出チャネルを使用して基地局から送信される応答を要しない送信のみを受信し、送信を行わないことを特徴とする移動機。
【請求項８】
請求項７に記載の移動機において、制限地域から非制限地域へ変化したことを検知すると、自身を受信専用モードから解除することを特徴とする移動機。
【請求項９】
請求項７または８に記載の移動機において、受信専用モード中に受信したメッセージの履歴を記憶し、受信専用モードが解除されたとき、前記受信メッセージ履歴を送信し、前記送信した受信メッセージ履歴により送達確認を行うことを特徴とする移動機。
【発明の詳細な説明】
【０００１】
【発明の属する技術分野】
本発明は、移動通信網システムに関するものであり、具体的には、移動機側から送信しない受信専用モードを有する移動通信網システムに関する。
【０００２】
【従来の技術】
従来の移動通信網システムにおいては、移動機は、呼が発生した場合や、位置を登録する場合等には、自律的に呼に対する応答や位置登録の送信を行っている。図１を用いて、移動機に対する呼の場合を説明する。
【０００３】
図１において、他のシステムに接続されている電話機１４４から移動機１０２に対して電話をかけている。この場合は、移動機１０２の電話番号により、公衆回線網１４２を介して移動通信網に対して接続される。移動通信網内の公衆網との接続ノードである関門交換ノード１２４は、移動機の加入者の状態（例えば、接続可能な状態であるか）と現在の登録位置等をホームメモリ（ＨＬＲ）１３４に問い合わせる。そして、位置登録エリア内の基地局１１２等から一斉に移動機１０２を呼び出す。移動機１０２は、その一斉呼出に対して応答すると、その応答を受信した基地局１１２およびその上位の加入者交換ノードまでの回線設定および接続を行われる。これで、電話１４４と移動機とが通話を行うことができる。
【０００４】
このように、移動機は、自ら発信しなくとも、応答を行う場合等に送信を行っている。従って、電源をオフしていない場合は、意図しなくても送信を行ってしまう場合があり、例えば病院等で、移動機の発する電波により機器等に影響を及ぼす場合もある。
【０００５】
【発明が解決しようとする課題】
現在でも、電源をオフしてある場合等に、メッセージを録音しておく等で、例えば病院等の電波の影響により、電源をオフしなければいけない所にいた場合でも、その間に送られたメッセージを後で、電源をオンにしたときに受け取ることができる。しかし、移動機のユーザが緊急のメッセージを待っている場合は、着信を受けたときに着信を知る必要がある。また、電源を切り忘れた場合は、移動機側から電話をかけなくても移動機側から送信されることがある。
【０００６】
本発明の目的は、病院等の移動機側からの送信が好ましくない場所において利用できるような、移動機側から送信せず単に受信することのみができる受信専用モードを設けることである。
【０００７】
また、移動機の送信が好ましくないエリアに移動したとき、移動機側のユーザが何の操作もする必要がなく、自動的に受信専用モードへの移行を行うことも本発明の目的である。
【０００８】
【課題を解決するための手段】
上記目的を達成するために、本発明は、制限地域または非制限地域の識別を含む報知信号を送信する基地局と、移動機と、該移動機を制御する制御局を含む移動通信網システムにおいて、前記移動機は、前記報知信号を監視し、非制限地域から制限地域へ変化したことを検知すると、自身を受信専用モードに設定し、受信専用モード設定要求を前記基地局に対して送信し、前記基地局は、前記移動機から前記受信専用モード設定要求を受信すると、前記制御局に対して、前記移動機からの前記受信専用モード設定要求を送信し、前記受信専用モード設定要求を受信した前記制御局は、移動機の状態を記憶しておくデータベースに、受信専用モード設定要求を送信した前記移動機が受信専用モードであることを記憶し、受信専用モードに設定した移動機への送信に対しては、一斉呼出チャネルを使用して、応答を要しない送信を行うことを特徴とする。
【０００９】
制限領域に移動機が入ると、自動的に移動機を受信専用モードへ設定される。
【００１０】
これにより、本発明では、受信専用モードを設けることにより、送信が望ましくない場所においても、メッセージを受信することができる。
【００１１】
前記受信専用モード中の移動機への送信は文字情報であり、この情報は音声メッセージを蓄積したことを通知する情報とすることもできる。これらの送信は、複数回行われる。
【００１２】
このようにして、確実に移動機にメッセージが受信されるようにしている。
【００１３】
また、移動機は、前記報知信号を監視し、制限地域から非制限地域へ変化したことを検知すると、自身を受信専用モードから解除する。
【００１４】
これにより、非制限領域に移動機が入ると、自動的に移動機を受信専用モードから解除することもできる。
【００１５】
その上、移動機は、受信専用モード中に受信したメッセージの履歴を記憶し、受信専用モードが解除されたとき、前記受信メッセージ履歴を送信することで、送られた受信メッセージ履歴により送達確認を行うことができるようにする。
【００１６】
【発明の実施の形態】
本発明の実施形態を、図面を参照して詳細に説明する。
【００１７】
図２および図３は、本発明の受信専用モードの実施形態を説明する図である。図２は、移動機が受信専用モードへの切り替えを説明する。図３は、受信専用モードの着信を説明する図である。図２および図３においては、図１と同様の構成には、同じ参照番号を付与している。
【００１８】
＜受信専用モードの設定＞
図２および図３の移動機１０２は、受信専用モードを設定できる。このモードに設定された移動機１０２においては、基地局１１２等から応答を必要とする信号が送信されたときにも応答を返さず、単に受信するのみとなる。この受信専用モードへの設定は、移動機１０２の特定の操作（例えば特定のファンクション・キーの押下や特定の番号に送信する等）により設定される。この設定は、病院等の送信が禁止されているエリアに入る前に行うことが望ましい。
【００１９】
図２において、移動機の特定のファンクション・キーを押下すると、特定の番号（＃１２３４）が送信される（図２の（１））とともに、移動機１０２が受信専用モードとなる。
【００２０】
移動機１０２から特定の番号を受信した基地局１１２は、受信した信号に付与されている移動機の番号（電話番号）等から、アクセスするホームメモリ（ＨＬＲ）１３４を識別する（図２の（２））。識別したホームメモリ１３４に移動機の番号と受信専用モードの設定があることの情報を転送する（図２の（３））。受け取ったホームメモリ１３４は、ホームメモリ１３４の移動機１０２の加入者情報の受信専用モードを示すフィールドに、この移動機が受信専用モードであることを示す（図２の（４））。これは、例えばフラグをそのフィールドに立てることにより行う。これで、ユーザにより、移動機１０２が受信専用モードとなるとともに、移動機１０２が受信専用モードであることが移動通信網に登録されたことになる。
【００２１】
この受信専用モードとなった移動機１０２は、発信はもとより、位置登録、着信に対する応答等の全ての電波を発するアクションは行わない。
【００２２】
この受信専用モードを解除するためには、例えば、上述の特定のファンクションキーを再度押下することにより行う。移動機１０２は、自身の受信専用モードを解除するとともに、上記の設定のときと同様の信号を送信する。これにより、ホームメモリ１３４の受信専用モードを示すフラグを解除する。これで、移動機１０２側および移動通信網側は、受信専用モードであることを解除する。
【００２３】
＜受信専用モードにおける受信＞
次に、受信専用モードに設定された移動機１０２との通信を図３を用いて説明する。
【００２４】
図３において、例えば他の網（公衆電話網）の電話１４４から上述の受信専用モードに設定された移動機１０２に対して電話をかける場合で説明する。電話機１４４から移動機１０２の番号を発信する（図３の（１））と、移動通信網の公衆回線との接続ノードである関門交換ノード１２４に通知される。関門交換ノード１２４は、この電話番号に基づきアクセスすべきホームメモリを特定して、そのホームメモリ１３４に対して加入者の状態および位置登録エリアを問い合わせる（図３の（２））。そのホームメモリ１３４には、移動機１０２が受信専用モードであることが登録されている。そのため、ホームメモリ１３４は受信専用モードに登録されていることを関門交換モード１２４に知らさせる。この通知をうけた関門交換モード１２４は、電話機１４４のいるユーザに対して、音声により移動機１０２が受信専用モードであることを知らせる。そして、文字による通知が可能であることもユーザに知らせる（図３の（３））。
【００２５】
ユーザは、電話機１４４のボタンから、ポケベルの入力と同様の方法で文字によるメッセージを入力する（図３の（４））。メッセージは、ホームメモリ１３４に登録されている位置登録エリアの交換ノード１２２に蓄積される（図３（５））。蓄積されたメッセージは、位置登録エリアに対応する基地局１１２から一斉呼出チャネルを使用して、移動機の識別をともに送信される（図３の（６））。通常は、位置登録エリアに対応する基地局は複数である。基地局１１２からは、メッセージが予め定められた回数繰り返して送信される（図３の（７））。基地局１１２は、このメッセージ送信に対する移動機からの応答は期待しない。
【００２６】
移動機１０２は、受信専用モードでも常時一斉呼出チャネルを監視しており、自分の識別を付加されて送信されたメッセージを受信して表示する。複数回送信されているので、移動機１０２がメッセージを受信する確率は高い。このとき、この基地局からの送信に対する応答やエリアが変わった場合の位置登録等の、移動機１０２からの送信は一切行わない。
【００２７】
上述の説明では、移動機１０２が受信できるのが文字メッセージとして説明したが、音声によるメッセージを移動機に対して送信することも可能である。
【００２８】
この場合、移動機１０２が受信専用モードであることを通知する際に、音声によるメッセージも可能であることを知らせて、ユーザにどの種類のメッセージを送るのかを選択させる。この選択は、例えば番号のボタンを押下することで行う。ユーザが音声によるメッセージを選択した場合は、留守番電話のメッセージ録音と同様に音声を蓄積する。
【００２９】
この音声によるメッセージを送信するためには、まず、電話機１４４のユーザからのメッセージがあることを文字により通知する。この通知には、発信者の識別（電話番号）も知らせて、表示するようにすることもできる。受信専用モードにある移動機１０２のユーザは、この通知の文字表示を見たら、病院等の移動機からの送信が制限されているエリアから出てから、受信専用モードを解除し、留守番電話と同様に音声によるメッセージを受けるようにする。
【００３０】
＜自動受信専用モード設定＞
上述において、受信専用モードの設定をユーザが手動で行うことを説明した。しかし、ユーザが送信が制限されているエリアに入ったことに気づかない場合や、受信設定モードに設定することを忘れた場合、その移動機に対して呼が発生したときの応答等で移動機から送信されてしまうことがある。これを防ぐために、送信制約地域を設け、この地域に移動機が移動すると、自動的に受信専用モードに設定されることが必要である。この自動受信専用モードの設定について図４を用いて説明する。
【００３１】
図４において、基地局２１２および基地局２１６は、それぞれ送信を制限していない非制限地域（通常のセル）２０２および２０６を受け持っている。基地局２１４は、非制限領域２０２および２０４に挟まれた、送信が制限される制限地域２０４を受け持っている。
【００３２】
基地局から移動局への報知情報中には、非制限地域であるか、制限地域であるかの情報を含んでいる。この報知情報は常時移動機で受信されて、移動機がいる地域が制限地域であるかの監視を行うのに使用されている。
【００３３】
さて、非制限地域２０２にいる移動機２２２が非制限地域に来入すると、移動機２２２は、受信している基地局２１４からの報知情報に含まれている情報により、自身が制限地域にはいったことを検知する。移動機２２２は、非制限地域に来入したことを検知すると、自身を受信専用モードとするとともに、基地局２１４に対して受信専用モードとなったことを知らせる。この手順は、上述の手動による受信専用モードの設定と同様であるので詳細は省略する。これで、制限領域に来入した移動機２２２が自動的に受信専用モードに設定される。
【００３４】
また、制限地域２０４にいる移動機２２４が隣接する非制限領域２０６に退出すると、移動機２２４は、受信している基地局２１６からの報知情報に含まれている情報により、自身が制限地域から退出したことを検知する。移動機２２４は、制限地域から退出したことを検知すると、自身を受信専用モードから解除するとともに、基地局２１４に対して受信専用モードの解除を知らせる。この手順は、上述の手動による受信専用モードの解除と同様であるので詳細は省略する。これで、制限領域に退出した移動機２２４は自動的に受信専用モードから解除される。
【００３５】
上記の受信専用モードの設定では移動機からの送信が伴うので、制限領域を設けるときには、モード設定に伴う送信が行われる制限領域の境界は、そのことを考慮して設定する必要がある。
【００３６】
上述の自動受信モード設定の手順は、ユーザが移動機を用いて通話していないときの場合である。通話中に非制限領域から制限領域に移動した場合について説明する。
【００３７】
移動機２２２が通話中に非制限領域から制限領域に移動したことを、上述と同様に、報知情報から検知すると、移動機は通話に割り込んで、音声により制限領域に来入したことを知らせ、強制的に通話を打ち切る。そして、自分を受信専用モードにして、上述の受信専用モードの設定の手順を行う。
【００３８】
あるいはまた、音声により制限領域に来入したことを知らせることまでは同じであるが、ユーザがユーザ自身で通話を終了するまで、受信専用モードとすることを待つようにすることもできる。
【００３９】
＜送達の確認＞
図３の受信専用モードにおいて、電話機１４４が送ったメッセージが移動機１０２が確実に受信させたいときがある。このときには送達の確認を指定して送信を行う。これが指定されていると、移動機が制限領域から出たときに、移動機側から受信確認を送るので、確実にメッセージを送ることができる。この送達確認手順について、図５を用いて説明する。
【００４０】
送達確認が必要なときは、メッセージを送るユーザは、送るときに送達確認が必要なことを移動通信網に登録する。これは、例えばホームメモリ１３４に登録する。図５においては、移動通信網の外にいるユーザＡおよびユーザＢが移動通信網の加入者αに対して、それぞれ送達確認が必要なメッセージ＃ａおよびメッセージ＃ｂを送っている（図５の（１）および（２）参照）。
【００４１】
メッセージを受けた移動通信網は、送達確認が必要なメッセージに対して、加入者ごとに番号を付与する（図５の（３）参照）。そして、この番号を付与されたメッセージは、付与された番号と共に加入者交換ノード１２２に格納される（図５の（４）参照）とともに。基地局１１２から、移動機１０２に、メッセージ、送り元の識別、および、送達確認が必要であることを複数回送信する（図５の（５）参照）。
【００４２】
移動機１０２は、ユーザからの文字のメッセージおよび送り元の識別（電話番号）とともに、送達確認が必要であることを受信すると、受け取った履歴を記憶しておく（図５の（６）参照）。これは、付加された番号を記憶することで行う。図５の例では、付加された番号（＃３）のメッセージが移動機１０２側に到達していないことを示している。
【００４３】
移動機１０２の受信専用モードが解除される（制限領域以外となる）と、移動機１０２に記憶してある受け取ったメッセージの履歴を移動通信網に対して送信する（図５の（７）参照）ことで送達確認を行う。即ち、移動機１０２に記憶してある受信したメッセージに付与されていた番号を全て基地局に送る。移動機からの送達確認を受けたときは、メッセージを記憶してあったノード（図５においては加入者交換ノード１２２）において、履歴を照合するとともに、送られたことが明らかなメッセージに対しては、記憶の解除を行う（図５においては（８）参照）。受信専用モードが解除されたときに送られた履歴により、移動機１０２において受信されなかったことが分かったメッセージは、再度、移動機に送られる（図５では（９）参照）。これは通常の応答がある通信で行われる。
【００４４】
上記の例では、移動機にメッセージを送る側から送達確認を指定するとしているが、送達確認を常に行うようにしてもよい。また、移動機側から送達確認を行うことを指定するようにしてもよい。
【００４５】
このように、送達確認を行うことにより、確実にメッセージが移動機に送信されることになる。
【００４６】
【発明の効果】
上記の説明のように、本発明では、受信専用モードを設けることにより、送信が望ましくない場所においても、メッセージを受信することができる。
【００４７】
また、送信が望ましくない領域に対応して基地局を設けて制限領域とし、制限領域に移動機が入ると、自動的に移動機を受信専用モードとすることもできる。移動機において、受信専用モードのときに受信した履歴を記憶しておくことにより、移動機が受信専用モードが解除されると、送達確認を行うことができる。
【図面の簡単な説明】
【図１】従来の移動機に対する呼設定を説明する図である。
【図２】本発明の受信専用モード設定を説明する図である。
【図３】本発明の受信専用モードにおける受信を説明する図である。
【図４】本発明の自動受信専用モード設定を説明する図である。
【図５】本発明の送達確認の指定されたメッセージの送信を説明する図である。
【符号の説明】
１０２  移動機
１１２，１１４  基地局
１２２  加入者交換ノード
１２４  関門交換ノード
１３２  共通線信号網
１３４  ホームメモリ
１４２  公衆回線網
１４４  固定電話
１４６  キーボード
２０２，２０４，２０６  セル
２１２，２１４，２１６  基地局
【図１】
0003773154.tif 000002
【図２】
0003773154.tif 000003
【図３】
0003773154.tif 000004
【図４】
0003773154.tif 000005
【図５】
0003773154.tif 000006